(57)【要約】【課題】拡散防止装置を長期使用しても、拡散防止膜の下縁部から重りが脱落しないようにして、この拡散防止装置の寿命を向上させるようにし、また、この拡散防止装置の成形作業が容易にできるようにする。【解決手段】拡散防止装置４が、前後方向にかつ上下方向に延びて水中を左右に分断可能とする拡散防止膜７と、この拡散防止膜７の上縁部８を水面近傍に保持可能とさせる保持手段９と、拡散防止膜７の下縁部１０に取り付けられてこの拡散防止膜７に対し下方に向う引張力を与える重り１１とを備える。重り１１が、拡散防止膜７の下縁部１０の下方近傍に配置されると共にこの下縁部１０に沿って延びこの下縁部１０に対し上縁部２１が可撓性連結具２２により連結される可撓性膜材２３と、連結具２２よりも下方に離れた位置で膜材２３に固着具２４により固着される重り本体２５とを備える。【選択図】　　図１
2004052295.tif 000002
【特許請求の範囲】
【請求項１】
前後方向にかつ上下方向に延びて水中を左右に分断可能とする拡散防止膜と、この拡散防止膜の上縁部を水面近傍に保持可能とさせる保持手段と、上記拡散防止膜の下縁部に取り付けられてこの拡散防止膜に対し下方に向う引張力を与える重りとを備えた水中における汚濁水の拡散防止装置において、上記重りが、上記拡散防止膜の下縁部の下方近傍に配置されると共にこの下縁部に沿って延びこの下縁部に対し上縁部が可撓性連結具により連結される可撓性膜材と、上記連結具よりも下方に離れた位置で上記膜材に固着具により固着される重り本体とを備えた水中における汚濁水の拡散防止装置。
【請求項２】
上記重り本体を、それぞれ上記膜材に沿って延び、かつ、その長手方向で互いに離れて列状に配置される複数の帯板材で成形した請求項１に記載の水中における汚濁水の拡散防止装置。
【請求項３】
上記膜材の一部分を上記拡散防止膜に固着させる他の固着具を備えた請求項１、もしくは２に記載の水中における汚濁水の拡散防止装置。
【発明の詳細な説明】
【０００１】
【発明が属する技術分野】
本発明は、海岸や河川の埋立地や浚渫地等の水域で、水中に生じる汚濁水が、これに隣接する他の清浄な水中に拡散しようとすることを防止するための水中における汚濁水の拡散防止装置に関するものである。
【０００２】
【従来の技術】
上記拡散防止装置には、従来、海岸の埋立地に設置されたものがあり、これは次のように構成されている。
【０００３】
即ち、上記拡散防止膜は、ある一方向の前後方向にかつ上下方向に延びて水中を左右に分断可能とする拡散防止膜と、この拡散防止膜の上縁部を水面近傍に保持可能とさせるフロートなどの保持手段と、上記拡散防止膜の下縁部にロープにより結び付けられるよう取り付けられてこの拡散防止膜に対し下方に向う引張力を与える重りである金属製チェーンとを備えている。
【０００４】
より具体的には、上記拡散防止膜は、埋立により汚濁水が発生する側の水中と、清浄な側の水中とを上記したように左右に分断している。また、上記拡散防止膜の下縁部は上記チェーンにより水底に近接させられていて、上記下縁部と水底との間の隙間が、より狭くなることとされている。
【０００５】
そして、上記拡散防止膜は、重りにより下方に向って引張力を与えられることにより、所定の平坦な形状が保持させられ、この拡散防止膜により、埋立により水中に生じた汚濁水が水流と共に上記清浄な側の水中に拡散するということが防止される。
【０００６】
【発明が解決しようとする課題】
ところで、上記拡散防止膜は水中の水流によって波打つように撓みを繰り返すが、これに伴い、この拡散防止膜の下縁部に対し上記ロープを介しチェーンが大きく揺動することがある。そして、このような揺動が繰り返されると、上記拡散防止膜の下縁部とロープ、およびロープとチェーンとがそれぞれ互いに繰り返し摩擦し合うこととなって、その各摩擦部が早期に損傷し、もって、上記チェーンが上記拡散防止膜の下縁部から脱落してしまう、という寿命上の問題点を生じるおそれがある。
【０００７】
一方、上記拡散防止装置には、従来より、拡散防止膜の下縁部に締結具により固着される重りを備えたものがあり、これによれば、上記拡散防止膜が波打つように撓みを繰り返したとしても、この拡散防止膜と重りとは互いに摩擦し合うことはないため、摩擦による損傷で上記拡散防止膜の下縁部から上記重りが早期に脱落する、という寿命上の問題点が生じることは回避される。
【０００８】
しかし、上記拡散防止装置の成形作業をする場合において、上記拡散防止膜は極めて大きい面積を有し、かつ、重いものであって、この拡散防止膜の取り扱いの自由度は低いものであるため、この拡散防止膜の下部に上記重りを締結させようとするとき、この締結の作業が煩雑であることと相俟って、上記拡散防止装置の成形作業が極めて煩雑になりがちである。
【０００９】
本発明は、上記のような事情に注目してなされたもので、拡散防止装置を長期使用しても、拡散防止膜の下縁部から重りが脱落しないようにして、この拡散防止装置の寿命を向上させるようにし、また、この拡散防止装置の成形作業が容易にできるようにすることを課題とする。
【００１０】
【課題を解決するための手段】
上記課題を解決するための本発明の水中における汚濁水の拡散防止装置は、次の如くである。なお、この項において各用語に付記した符号は、本発明の技術的範囲を後述の「発明の実施の形態」の項の内容に限定解釈するものではない。
【００１１】
請求項１の発明は、前後方向にかつ上下方向に延びて水中を左右に分断可能とする拡散防止膜７と、この拡散防止膜７の上縁部８を水面近傍に保持可能とさせる保持手段９と、上記拡散防止膜７の下縁部１０に取り付けられてこの拡散防止膜７に対し下方に向う引張力を与える重り１１とを備えた水中における汚濁水の拡散防止装置において、
【００１２】
上記重り１１が、上記拡散防止膜７の下縁部１０の下方近傍に配置されると共にこの下縁部１０に沿って延びこの下縁部１０に対し上縁部２１が可撓性連結具２２により連結される可撓性膜材２３と、上記連結具２２よりも下方に離れた位置で上記膜材２３に固着具２４により固着される重り本体２５とを備えたものである。
【００１３】
請求項２の発明は、請求項１の発明に加えて、上記重り本体２５を、それぞれ上記膜材２３に沿って延び、かつ、その長手方向で互いに離れて列状に配置される複数の帯板材２６で成形したものである。
【００１４】
請求項３の発明は、請求項１、もしくは２の発明に加えて、上記膜材２３の一部分３３を上記拡散防止膜７に固着させる他の固着具３４を備えたものである。
【００１５】
【発明の実施の形態】
以下、本発明の実施の形態を図面により説明する。
【００１６】
（第１の実施の形態）
【００１７】
図１〜５は、第１の実施の形態を示している。
【００１８】
図２，３において、符号１は海等の水域、２は海岸の埋立地等の汚濁水の発生水域、３は上記汚濁水の発生水域２に隣接する清浄な水域であり、説明の便宜上、矢印Ｆｒをある水平な一方向の前方とし、下記する左右とは、上記前方に向っての方向をいうものとする。
【００１９】
上記汚濁水の発生水域２の水中で発生する汚濁水が、この汚濁水の発生水域２の水中から上記清浄な水域３の水中に拡散しようとすることを防止する拡散防止装置４が設けられている。
【００２０】
上記拡散防止装置４は、前後方向にかつ上下方向に延びて水域１の水中を左右に分断可能とする可撓性の拡散防止膜７と、この拡散防止膜７の上縁部８を水域１の水面近傍に保持可能とさせるフロートである保持手段９と、上記拡散防止膜７の下縁部１０に取り付けられてこの拡散防止膜７にそのほぼ全体にわたり下方に向う引張力を与える重り１１と、上記拡散防止膜７を上記水域１における所望位置に係留可能とさせる係留手段１２とを備え、上記拡散防止膜７の下縁部１０は、上記水域１の水底１３に近接させられる。
【００２１】
上記拡散防止膜７は前後方向に並ぶように複数枚が配置され、これら各拡散防止膜７は、それぞれ同形の矩形状をなして互いに同じ大きさとされる可撓性の拡散防止膜本体１６と、この拡散防止膜本体１６を縁取るようその縁部に沿って延びると共にこの縁部に溶着や縫合により取り付けられ、この縁部を補強する可撓性の補強バンド１７と、上記拡散防止膜本体１６の前後方向の中途部で上下に延びると共にこの中途部に溶着や縫合により取り付けられ、この中途部を補強する可撓性の他の補強バンド１８とを備えている。
【００２２】
上記拡散防止膜本体１６と各補強バンド１７，１８はそれぞれ樹脂製シートや、合成繊維で成形されている。また、前後方向で隣り合う両拡散防止膜７，７のうち、前側の拡散防止膜７の後縁部と、後側の拡散防止膜７の前縁部とは互いに接近（接合含む）させられて、可撓性の連結具１９である複数のロープにより互いに取り外し可能に連結されている。なお、この連結具２２の取り外しは、上記ロープの切断除去を含むものとし、以下同じとする。
【００２３】
上記重り１１は、上記拡散防止膜７の下縁部１０の下方近傍に配置されると共にこの下縁部１０に沿って前後方向に延びこの下縁部１０に対し上縁部２１が複数の可撓性連結具２２により取り外し可能に連結される可撓性膜材２３と、上記連結具２２よりも下方に離れた位置で上記膜材２３に締結具である複数の固着具２４により着脱可能に固着される重り本体２５とを備え、上記膜材２３は前後方向に細長い長方形状をなして、その下部（下縁部）に上記重り本体２５が固着され、上記膜材２３は上記重り本体２５により下方に向う引張力を与えられて、その長手方向の各部が上下方向に延びている。
【００２４】
上記重り１１は、上記各拡散防止膜７毎に独立して設けられ、上記重り１１の膜材２３と拡散防止膜７の前後方向の寸法は互いに同じ寸法とされ、その材質は、上記拡散防止膜７の拡散防止膜本体１６と同じとされている。上記連結具２２はロープであり、上記拡散防止膜７の下縁部１０と膜材２３の上縁部２１とにあらかじめ成形された孔に挿通されて結び付けられることにより、上記拡散防止膜７の下縁部１０に対し上記重り１１の膜材２３が連結されている。
【００２５】
上記重り本体２５は、それぞれ上記膜材２３の下縁部に沿って延び、かつ、その長手方向で互いに少し離れて列状に配置される複数の金属製帯板材２６で成形されている。これら各帯板材２６は互いに同形同大で、ほぼ等ピッチで列状に配置され、上記膜材２３の下部を左右から挟み付けるようそれぞれ一対設けられている。なお、上記重り本体２５は上記膜材２３の左右いずれか一方の面だけに取り付けてもよい。
【００２６】
前後方向で隣り合う両重り１１，１１のうち、前側の重り１１の膜材２３の後縁部と、後側の重り１１の膜材２３の前縁部とは互いに接近（接合含む）させられて、可撓性の連結具２８であるロープにより互いに取り外し可能に連結されている。
【００２７】
上記係留手段１２は、上記水域１の水底１３に設置されるコンクリート製のアンカー３０と、上記拡散防止膜７の上縁部８を上記アンカー３０に連結するロープやケーブルなどの索条体３１とを備えている。
【００２８】
上記拡散防止膜７が上記重り１１により下方に向って引張力を与えられることにより、水中で所定の平坦な形状が保持させられ、この拡散防止膜７により、汚濁水の発生水域２の水中の汚濁水が水流と共に上記清浄な水域３の水中に拡散するということが防止される。
【００２９】
そして、上記構成によれば、重り１１が、上記拡散防止膜７の下縁部１０の下方近傍に配置されると共にこの下縁部１０に沿って延びこの下縁部１０に対し上縁部２１が可撓性連結具２２により連結される可撓性膜材２３と、上記連結具２２よりも下方に離れた位置で上記膜材２３に固着具２４により固着される重り本体２５とを備えている。
【００３０】
このため、上記重り１１により引張力を与えられて、水中で所定の形状を保持させられる拡散防止膜７はその下縁部１０を含んで水中の水流によって波打つように撓みを繰り返すが、この際、この拡散防止膜７の下縁部１０に可撓性の連結具２２で連結された可撓性の膜材２３の上部は、上記のように拡散防止膜７の下縁部１０が波打つように撓むことに対し、同期して撓みを繰り返すこととなる。
【００３１】
よって、上記拡散防止膜７の下縁部１０に対し上記連結具２２を介し上記重り１１が従来のように揺動を繰り返す、ということは防止されて、上記拡散防止膜７の下縁部１０と連結具２２、および連結具２２と重り１１の膜材２３とがそれぞれ摩擦し合うということが抑制され、つまり、摩擦による早期の損傷で上記拡散防止膜７の下縁部１０から重り１１が早期に脱落するということは防止される。
【００３２】
しかも、上記重り本体２５は上記膜材２３に固着されているため、これら膜材２３と重り本体２５との間には摩擦による損傷はより確実に防止される。
【００３３】
上記の結果、上記構成によれば、拡散防止装置４の寿命が向上する。
【００３４】
また、上記の場合、拡散防止膜７の下縁部１０に上記膜材２３の上縁部が連結される一方、この膜材２３の下縁部に上記重り本体２５が固着されており、このため、上記拡散防止膜７の下縁部１０への膜材２３の連結部である上縁部２１と、上記重り本体２５とは上下に大きく離されている。
【００３５】
このため、上記拡散防止膜７の下縁部１０が波打つように撓むことに対し、上記膜材２３の上部は更に確実に同期して撓みを繰り返すこととなり、よって、上記した摩擦による損傷が更に確実に防止されて、拡散防止装置４の寿命の向上がより確実に達成される。
【００３６】
一方、上記拡散防止装置４の成形作業をするときには、まず、上記膜材２３に固着具２４により重り本体２５を固着させ、次に、上記膜材２３を可撓性連結具２２により上記拡散防止膜７の下縁部１０に取り付ければよい。
【００３７】
つまり、上記膜材２３は、上記拡散防止膜７に比べてはるかに小形、かつ、軽量であってその取り扱いの自由度は大きいものである。このため、上記固着具２４による固着作業が煩雑であるとしても、上記膜材２３への重り本体２５の固着作業は全体として容易となる。
【００３８】
また、上記拡散防止膜７の下縁部１０への膜材２３の取り付けはロープのような可撓性連結具２２によって行われることから、これは例えば締結具のような固着具で固着させることに比べて極めて容易である。
【００３９】
よって、上記構成によれば、拡散防止装置４の成形作業は容易にできることとなる。
【００４０】
なお、上記膜材２３への重り本体２５の固着を工場で行い、拡散防止膜７の下縁部１０への膜材２３の取り付けは現場で行うようにしてもよい。
【００４１】
また、前記したように、重り本体２５を、それぞれ上記膜材２３に沿って延び、かつ、その長手方向で互いに少し離れて列状に配置される複数の帯板材２６で成形してある。
【００４２】
このため、上記各帯板材２６が上記膜材２３に沿って延びている分、これら各帯板材２６によれば、上記拡散防止膜７の各部により均等に引張力を与えることができ、これは、拡散防止装置４の寿命上有益である。
【００４３】
また、上記各帯板材２６は、その長手方向で少し離れているため、隣り合う両帯板材２６，２６の間では、膜材２３の撓みが可能とされる。
【００４４】
よって、上記拡散防止膜７の下縁部１０に同期して、上記膜材２３の上部が撓みを繰り返すとき、この撓みを上記各帯板材２６が阻害するということは防止され、上記拡散防止装置４の寿命の向上は支障なく達成される。
【００４５】
なお、以上は図示に例によるが、上記膜材２３の上下方向の中途部に固着具２４により重り本体２５を固着させてもよい。また、上記連結具２２は樹脂製のワンタッチ式のバンドや面ファスナーのようなものであってもよい。また、固着具２４は縫合を含むものとする。
【００４６】
以下の各図は、第２の実施の形態を示している。この実施の形態は、前記第１の実施の形態と構成、作用効果において多くの点で共通している。そこで、これら共通するものについては、図面に共通の符号を付してその重複した説明を省略し、異なる点につき主に説明する。また、これら各実施の形態における各部分の構成を、本発明の課題、作用効果に照らして種々組み合せてもよい。
【００４７】
（第２の実施の形態）
【００４８】
図６，７は、第２の実施の形態を示している。
【００４９】
これによれば、上記重り１１の膜材２３の長手方向の端部である一部分３３が上記拡散防止膜７の下縁部１０の端部に締結具である他の固着具３４により固着されている。
【００５０】
このため、仮に、上記拡散防止膜７の下縁部１０から上記重り１１が脱落したとしても、上記拡散防止膜７の下縁部１０に対する重り１１の連結が保持される。よって、その後の上記重り１１の回収作業が容易にできる。
【００５１】
【発明の効果】
本発明による効果は、次の如くである。
【００５２】
請求項１の発明は、前後方向にかつ上下方向に延びて水中を左右に分断可能とする拡散防止膜と、この拡散防止膜の上縁部を水面近傍に保持可能とさせる保持手段と、上記拡散防止膜の下縁部に取り付けられてこの拡散防止膜に対し下方に向う引張力を与える重りとを備えた水中における汚濁水の拡散防止装置において、
【００５３】
上記重りが、上記拡散防止膜の下縁部の下方近傍に配置されると共にこの下縁部に沿って延びこの下縁部に対し上縁部が可撓性連結具により連結される可撓性膜材と、上記連結具よりも下方に離れた位置で上記膜材に固着具により固着される重り本体とを備えている。
【００５４】
このため、上記重りにより引張力を与えられて、水中で所定の形状を保持させられる拡散防止膜はその下縁部を含んで水中の水流によって波打つように撓みを繰り返すが、この際、この拡散防止膜の下縁部に可撓性の連結具で連結された可撓性の膜材の上部は、上記のように拡散防止膜の下縁部が波打つように撓むことに対し、同期して撓みを繰り返すこととなる。
【００５５】
よって、上記拡散防止膜の下縁部に対し上記連結具を介し上記重りが従来のように揺動を繰り返す、ということは防止されて、上記拡散防止膜の下縁部と連結具、および連結具と重りの膜材とがそれぞれ摩擦し合うということが抑制され、つまり、摩擦による早期の損傷で上記拡散防止膜の下縁部から重りが早期に脱落するということは防止される。
【００５６】
しかも、上記重り本体は上記膜材に固着されているため、これら膜材と重り本体との間には摩擦による損傷はより確実に防止される。
【００５７】
上記の結果、本発明によれば、拡散防止装置の寿命が向上する。
【００５８】
一方、上記拡散防止装置の成形作業をするときには、まず、上記膜材に固着具により重り本体を固着させ、次に、上記膜材を可撓性連結具により上記拡散防止膜の下縁部に取り付ければよい。
【００５９】
つまり、上記膜材は、上記拡散防止膜に比べてはるかに小形、かつ、軽量であってその取り扱いの自由度は大きいものである。このため、上記固着具による固着作業が煩雑であるとしても、上記膜材への重り本体の固着作業は全体として容易となる。
【００６０】
また、上記拡散防止膜の下縁部への膜材の取り付けはロープのような可撓性連結具によって行われることから、これは例えば締結具のような固着具で固着させることに比べて極めて容易である。
【００６１】
よって、本発明によれば、拡散防止装置の成形作業は容易にできることとなる。
【００６２】
請求項２の発明は、上記重り本体を、それぞれ上記膜材に沿って延び、かつ、その長手方向で互いに離れて列状に配置される複数の帯板材で成形してある。
【００６３】
このため、上記各帯板材が上記膜材に沿って延びている分、これら各帯板材によれば、上記拡散防止膜の各部により均等に引張力を与えることができ、これは、拡散防止装置の寿命上有益である。
【００６４】
また、上記各帯板材は、その長手方向で離れているため、隣り合う両帯板材の間では、膜材の撓みが可能とされる。
【００６５】
よって、上記拡散防止膜の下縁部に同期して、上記膜材の上部が撓みを繰り返すとき、この撓みを上記各帯板材が阻害するということは防止され、上記拡散防止装置の寿命の向上は支障なく達成される。
【００６６】
請求項３の発明は、上記膜材の一部分を上記拡散防止膜に固着させる他の固着具を備えてある。
【００６７】
このため、仮に、上記拡散防止膜の下縁部から上記重りが脱落したとしても、上記拡散防止膜の下縁部に対する重りの連結が保持される。よって、その後の上記重りの回収作業が容易にできる。
【図面の簡単な説明】
【図１】第１の実施の形態で、図３の矢印“１”部分の拡大図である。
【図２】第１の実施の形態で、拡散防止装置の正面部分破断図である。
【図３】第１の実施の形態で、拡散防止装置の側面部分破断図である。
【図４】第１の実施の形態で、図３の矢印“４”部分の拡大図である。
【図５】第１の実施の形態で、図４の５‐５線矢視断面図である。
【図６】第２の実施の形態で、図４に相当する図である。
【図７】第２の実施の形態で、図６の７‐７線矢視断面図である。
【符号の説明】
１　　　水域
２　　　汚濁水の発生水域
３　　　清浄な水域
４　　　拡散防止装置
７　　　拡散防止膜
８　　　上縁部
９　　　保持手段
１０　　下縁部
１１　　重り
１２　　係留手段
２１　　上縁部
２２　　連結具
２３　　膜材
２４　　固着具
２５　　重り本体
２６　　帯板材
３３　　一部分
３４　　他の固着具
【図１】
2004052295.tif 000003
【図２】
2004052295.tif 000004
【図３】
2004052295.tif 000005
【図４】
2004052295.tif 000006
【図５】
2004052295.tif 000007
【図６】
2004052295.tif 000008
【図７】
2004052295.tif 000009